(57)【要約】【課題】吸盤が破損し難く耐久性があって、使用時には安全性の高い浴室用椅子を実現する。【解決手段】座板２の下面四隅に脚部１７を垂下設し、該脚部１７の下端に吸盤１８を取り付けた椅子において、前記座板２の対向する両側面には、取手１１を水平に往復動自在に組み付けた取手格納部４を設け、該取手１１と前記吸盤１８の端部間には、取手１１と前記吸盤１８の端部間にあって取手１１近傍に位置する紐挿通孔５を経由させて紐状体１６を張設した。【選択図】        図１
2004321350.tif 000002
【特許請求の範囲】
【請求項１】
座板の下面四隅に脚部を垂下設し、該脚部の下端に吸盤を取り付けた椅子において、
前記座板の対向する両側面には、取手を水平に往復動自在に組み付けた取手格納部を設け、該取手と前記吸盤の端部間には、取手と前記吸盤の端部間にあって取手近傍に位置する紐挿通孔を経由させて紐状体を張設したことを特徴とする浴室用椅子。
【請求項２】
座板の対向する両側面には、軸孔及びその近傍に紐挿通孔を設けた区画壁を、座板の側壁より内方に設けた取手収納部と、該区画壁を介して軸孔の中心と同一直線上に中心を持つ孔を設けた保持部とで取手格納部を形成したこと、
該取手格納部には、軸孔及び孔に挿通させる軸体を取手体に直角に設けた取手をスプリングを介して往復動自在に組み付けたこと、
取手と前記吸盤の端部間には、区画壁の紐挿通孔を経由させた紐状体を張設したこと、
を特徴とする請求項１に記載の浴室用椅子。
【請求項３】
紐状体は、取手体近くにある軸体に取り付け、該軸体の先端部は保持部より所定ストローク突出させて、保持部外面と軸体先端間にある軸体にスプリングを配置すると共に該軸体の先端にはストッパを配置し、取手を往復動自在に配設したことを特徴とする請求項２に記載の浴室用椅子。
【請求項４】
紐状体は、保持部内の区画壁近くにある軸体に取り付け、該区画壁の内壁と取手体間にある軸体にスプリングを配置すると共に該軸体の先端にはストッパを配置し、取手を往復動自在に配設したことを特徴とする請求項２に記載の浴室用椅子。
【発明の詳細な説明】
【０００１】
【発明が属する技術分野】
本発明は、浴室の床あるいは浴槽内の底等に置いて使用される浴室用椅子に関する。
【０００２】
【従来の技術】
従来の椅子は、支持脚の下端に吸盤を挿着し、隣接する各一対の支持脚の吸盤に各端部をそれぞれ取り付けた吸着解除レバーを上方に向けて架設した椅子である（特許文献１）。
【０００３】
この発明では、椅子を浴槽内の載置面に固定する時は、椅子を浴槽内に置き、座部に上方から平均に力を加えて各吸盤を浴槽底面等の載置面に押し付ける。他方、椅子の吸着固定状態を解除させる時は、吸着解除レバーの上端部を握って上方または外方に軽く引き、吸盤を載置面から引き剥がし、吸盤の真空解除を行う構成とされている。
【０００４】
【特許文献１】
特開平１０―５２３３１号公報
【０００５】
【発明が解決しようとする課題】
上記従来の椅子では、吸着解除レバーを手で直接操作するために、必要以上に力を入れて該レバーを引っ張ることが多く、該レバーを何度も操作すると吸盤が破損しやすく、耐久性が劣るという問題点がある。
【０００６】
また、座板の周囲に吸着解除レバーが張り出していると、使用者の行動の邪魔になり、誤って吸着解除レバーに触れた時は、意図しないのに吸盤の吸着を解除して椅子が被吸着面から離れるために安全性に問題点があった。特に、身体障害者、妊婦、病人等が使用する場合には安全性が要求されるが、この安全性を図れないという問題点がある。
【０００７】
本発明は、上記問題点を解決する為に創案されたもので、吸盤の真空解除を行って床から離す技術を課題とし、吸盤が破損し難く耐久性があり、使用時には安全性の高い浴室用椅子の提供を目的としている。
【０００８】
【課題を解決するための手段】
上記課題を解決するために、請求項１の浴室用椅子は、
座板２の下面四隅に脚部１７を垂下設し、該脚部１７の下端に吸盤１８を取り付けた椅子において、
前記座板２の対向する両側面には、取手１１を水平に往復動自在に組み付けた取手格納部４を設け、該取手１１と前記吸盤１８の端部間には、取手１１と前記吸盤１８の端部間にあって取手１１近傍に位置する紐挿通孔５を経由させて紐状体１６を張設したことを特徴としている。
【０００９】
請求項２の浴室用椅子は、請求項１記載の浴室用椅子において、
座板２の対向する両側面には、軸孔６及びその近傍に紐挿通孔５を設けた区画壁８を、座板２の側壁３より内方に設けた取手収納部７と、該区画壁８を介して軸孔６の中心と同一直線上に中心を持つ孔１０を設けた保持部９とで取手格納部４を形成したこと、
該取手格納部４には、軸孔６及び孔１０に挿通させる軸体１３を取手体１２に直角に設けた取手１１をスプリング１４を介して往復動自在に組み付けたこと、取手１１と前記吸盤１８の端部間には、区画壁８の紐挿通孔５を経由させた紐状体１６を張設したこと、
を特徴としている。
【００１０】
請求項３の浴室用椅子は、請求項１記載の浴室用椅子において、
紐状体１６は、取手体１２近くにある軸体１３に取り付け、該軸体１３の先端部は保持部９より所定ストローク突出させて、保持部９外面と軸体１３先端間にある軸体１３にスプリング１４を配置すると共に該軸体１３の先端にはストッパ１５を配置し、取手１１を往復動自在に配設したことを特徴としている。
【００１１】
請求項４の浴室用椅子は、請求項１記載の浴室用椅子において、
紐状体１６は、保持部９内の区画壁８近くにある軸体１３に取り付け、該区画壁８の内壁と取手体１２間にある軸体１３にスプリング１４を配置すると共に該軸体１３の先端にはストッパ１５を配置し、取手１１を往復動自在に配設したことを特徴としている。
【００１２】
【発明の実施の形態】
本発明の第１実施例を図１〜図３により、同じく第二実施例を図４により説明すると、本発明は、座板２の下面四隅に脚部１７を垂下設し、該脚部１７の下端に吸盤１８を取り付けた椅子に関するものである。
【００１３】
前記座板２は、ＡＡＳ樹脂等の合成樹脂で成形され、該座板２の対向する両側面内方には、取手１１を水平に往復動自在に組み付けた取手格納部４が設けられている。
【００１４】
この取手格納部４は、座板２の対向する両側面内方にコ字状に形成され、軸孔６及びその近傍、例えば、図２、図３のように軸孔６の両側に２個の紐挿通孔５を設けた区画壁８を、座板２の側壁３より内方に設けた取手収納部７と、該区画壁８を介してその内方に、軸孔６の中心と同一直線上に中心を持つ孔１０を設け、コ字状に形成された保持部９とで構成されている。
【００１５】
また、前記取手格納部４には、軸孔６及び孔１０に挿通させる軸体１３を取手体１２に直角に設けた取手１１がスプリング１４を介して往復動自在に組み付けられ、取手１１と吸盤１８の端部間には、取手１１近傍に位置する紐挿通孔５を経由させて紐状体１６が張設されている。
【００１６】
取手１１を手前に引く事により、吸盤１８の真空解除を行なう場合の第１実施例を、図２、図３により説明する。
取手１１は、使用者が手で引張る部分の取手体１２と取手体１２から直角方向に延びた軸体１３で構成されており、この軸体１３は、軸孔６に挿入できる様な外径に形成すると共に、更に軸孔６より小さい孔１０へ挿通可能に先端部から吸盤１８の真空解除に必要な所定ストローク長で縮径した段部１３ａが形成されている。
取手収納部７の形状に沿って、取手１１の軸体１３を区画壁８の軸孔６と保持部９の孔１０に挿通させると、段部１３ａが、保持部９の孔１０に当たって止まり、軸体１３が保持部９外面から所定ストローク突出した状態に保持される。
この所定ストローク突出部分の軸体１３に、所定ストロークに合わせた全長のスプリング１４を被せてから軸体１３の先端にストッパ１５を嵌めて取手１１を取手格納部４に組み付けている。
従って、使用者が取手体１２を手で掴み取手１１を手前に引けば、軸体１３は軸孔６と孔１０にガイドされ水平方向へ手前側に動き、それに伴ってスプリング１４は、軸体１３の先端と保持部９の外面との間で圧縮され、スプリング１４の圧縮状態で使用者が取手体１２から手を離せばスプリング１４の復元力によって取手１１は元の位置に戻る。
また、軸体１３の断面形状を矩形状にしたから、取手１１が水平に動く時に、軸体１３周りに回転する動きが防止されて、取手１１が取手格納部４に往復動自在に組み付けられている。
紐状体１６の一端は、２個の隣接する一方の吸盤１８の端部１８ａに接続され、紐状体１６の他端は、その吸盤１８の端部１８ａから最短距離にある取手１１との間にあって、取手１１近傍に位置する区画壁８の紐挿通孔５へ内壁から外壁（図３上で左側から右側）に向かって通して紐挿通孔５を経由させた後、軸体１３の取手体１２近くの位置に設けた取付孔１３ｂに挿通する事によって取手１１に接続後、もう一方の紐挿通孔５に外壁から内壁（図３上で右側から左側）に向かって挿通してから他方の吸盤１８の端部１８ａに接続されている。
実施例では、２個の隣接する吸盤１８の端部１８ａ間を一本の紐状体１６で繋いでいるが、紐状体１６を１個の吸盤１８の端部１８ａ毎から取手１１に張設する事でも良い（図示は省略）。
【００１７】
従って、取手格納部４に設けた水平に往復動する取手１１を手前側に引き出す動作により、軸体１３の取付孔１３ｂに挿通している紐状体１６は、紐挿通孔５への経由によって、この位置が起点となり取手１１の水平ストロークが紐状体１６に伝わり、該紐状体１６が吸盤１８の端部１８ａを引張り、該吸盤１８の真空を破り、椅子１を固定した床等から離すことができる。
【００１８】
次に、取手１１を奥に押圧することにより、吸盤１８の真空解除を行う第二実施例の場合を、図４により説明する。
取手１１は、使用者が押圧する取手体１２と該取手体１２から直角方向に延びて断面形状を矩形状とした軸体１３で構成されており、この軸体１３は、軸孔６及び孔１０に挿通できる様な外径にされ、区画壁８の内壁と取手体１２間の軸体１３上にスプリング１４をその間隔に入る全長に配置して、軸体１３は、保持部９外面に先端が出る全長であって、ストッパ１５を先端に嵌めて取手１１を取手格納部４に組み付けている。
従って、使用者が取手１１を奥に押圧すれば、軸体１３は軸孔６と孔１０にガイドされ水平方向へ奥に動き、それに伴ってスプリング１４は、区画壁８の内壁と取手体１２間の間で圧縮され、スプリング１４の圧縮状態で使用者が取手体１２から手を離せばスプリング１４の復元力によって取手１１は元の位置に戻る。
更に、紐状体１６は、保持部９内の区画壁８近くにある軸体１３の取付孔１３ｂに挿通してあるので、取手１１を区画壁８側に押圧する動作により、紐状体１６の紐挿通孔５への経由によって、取手１１の水平ストロークが紐状体１６に伝わり、紐状体１６が吸盤１８の端部１８ａを引張り、該吸盤１８の真空が破れ椅子１を固定した床等から離すことができるのである。
もちろんこの場合も、紐状体１６は、１個の吸盤１８の端部１８ａ毎から取手１１に張設する事でも良い（図示は省略）。
【００１９】
ここで、本発明に至った経緯を述べると、図５は、取手１１を手前に引く事により、吸盤１８の真空解除を行う場合の第一実施例と同様な構成の椅子に、取手１１と吸盤１８間を単に紐状体１６で張設した場合を示したもので、この場合は取手１１の水平ストロークは紐状体１６に伝わらないため取手１１を作動させても吸盤１８を引張ることができず、該吸盤１８は真空解除ができない。
【００２０】
また、図６は、取手体を奥への押圧動作により、吸盤１８の真空解除を行う場合の第二実施例と同様な構成の椅子に、取手１１と吸盤１８間を単に紐状体１６で張設した場合を示したもので、この場合も同様に、取手１１の水平ストロークは紐状体１６に伝わらないため取手１１を作動させても吸盤１８を引張ることができず、該吸盤１８は真空解除ができない。
【００２１】
発明者は、結局、図５、図６のように、ただ単に吸盤１８と取手１１とを紐状体１６で連結しただけでは、吸盤１８の真空解除ができないことに注目して本発明を案出したものである。
【００２２】
【発明の効果】
請求項１の発明により、椅子はしっかりと浴室の床や浴槽の底に載置固定でき、椅子を動かす場合は取手を作動させることにより吸盤の真空解除を行い、浴室の床や浴槽の底から吸盤を簡単に離して椅子を移動させることができる。
また、吸盤の真空解除を行う場合は、取手を手前側に引くか、取手を奥に押圧する動作によって行なわれるため、所定ストローク以上吸盤を引っ張ることがないので、吸盤が破損され難く、椅子は長期間使用でき経済性に優れている。
【００２３】
また、取手は、作動時以外は台板の側面より外に張り出さないため、不用意に取手に接触して吸盤の真空解除を行うことはない。特に体の不自由な状態にある、年配者、身体障害者、妊婦、病人等も安全に使用できるものである。
さらに、取手の引出し又は押圧操作で簡単に吸盤の真空解除が出来るため、病人や年配者、妊婦等でも軽い力で吸盤の真空解除操作が出来る。
【００２４】
請求項２の発明によれば、取手は取手格納部を往復動自在にでき、もって吸盤の真空解除も簡単な動作でできる。
【００２５】
請求項３の発明によれば、取手を手前側に引き出す動作により、吸盤の端部に連結された紐状体が引っ張られて吸盤の吸着を解除し椅子を床より離すことができる。また、取手は操作後、自動的に取手収納部に復帰して格納されるので、張り出し部分がなく、引き出す操作であるため、意図しない解除は極めて起こり難く安全性が高い椅子である。
【００２６】
請求項４の発明によれば、取手を奥に押圧する動作により、吸盤の端部に連結された紐状体を引っ張って吸盤の真空解除を行い椅子を床より離すことができる。また、取手体は座板の側面より一切張り出さないため、安全性の高いものである。
【図面の簡単な説明】
【図１】本発明の椅子の、全体斜視図。
【図２】本発明の椅子の、底面からの斜視図。
【図３】本発明の椅子の、第一実施例の底面図で、（Ａ）は作動前の状態図、（Ｂ）は吸盤の端部を引っ張った時の状態図。
【図４】本発明の椅子の、第二実施例の底面図で、（Ａ）は作動前の状態図、（Ｂ）は吸盤の端部を引っ張った時の状態図。
【図５】本発明の椅子の、第一実施例の作動しない紐状体配置の説明図で、（Ａ）は取手作動前の状態図、（Ｂ）は取手作動後の状態図。
【図６】本発明の椅子の、第二実施例の作動しない紐状体配置の説明図で、（Ａ）は取手作動前の状態図、（Ｂ）は取手作動後の状態図。
【符号の説明】
１  椅子
２  座板
４  取手格納部
５  紐挿通孔
６  軸孔
７  取手収納部
８  区画壁
９  保持部
１０  孔
１１  取手
１２  取手体
１３  軸体
１４  スプリング
１５  ストッパ
１６  紐状体
１７  脚部
１８  吸盤
【図１】
2004321350.tif 000003
【図２】
2004321350.tif 000004
【図３】
2004321350.tif 000005
【図４】
2004321350.tif 000006
【図５】
2004321350.tif 000007
【図６】
2004321350.tif 000008